(57)【要約】      （修正有）【課題】半田付けを適切に行えない場合でも、新たなフレキシブル配線板に交換する必要がないフレキシブル配線板を提供する。【解決手段】このフレキシブル配線板１００は、フレキシブル配線板本体１００ａと、フレキシブル配線板本体１００ａを折り畳んだ状態で回路基板２００の一方表面に設けられたランド部２０１に半田付けされる第１ランド部１と、第１ランド部１の回路基板２００のランド部２０１に対する半田付け状態が適切でない場合に回路基板２００のランド部２０１に半田付け可能な第２ランド部２とを備える。【選択図】図４
2014027235.tif 000002
【特許請求の範囲】
【請求項１】
フレキシブル配線板本体と、
前記フレキシブル配線板本体を折り畳んだ状態で回路基板の一方表面に設けられたランド部に半田付けされる第１ランド部と、
前記第１ランド部の前記回路基板の前記ランド部に対する半田付け状態が適切でない場合に前記回路基板のランド部に半田付け可能な第２ランド部とを備える、フレキシブル配線板。
【請求項２】
前記フレキシブル配線板本体は、前記第１ランド部が前記回路基板のランド部に半田付けされる場合に、折り畳んだ状態で折り畳んだ部分が互いに固定されるように構成されている、請求項１に記載のフレキシブル配線板。
【請求項３】
前記フレキシブル配線板本体を折り畳んだ状態で折り畳んだ部分を互いに半田付けにより固定するための第３ランド部をさらに備える、請求項２に記載のフレキシブル配線板。
【請求項４】
前記フレキシブル配線板本体は、前記第２ランド部を前記回路基板のランド部に半田付けする場合に、前記第２ランド部が前記フレキシブル配線板本体の端部に位置するように前記第１ランド部を切り離すことが可能に構成されている、請求項１〜３のいずれか１項に記載のフレキシブル配線板。
【請求項５】
前記フレキシブル配線板本体は、折り畳んだ状態で前記第２ランド部が平面視において前記第１ランド部と重ならないように折り畳まれるように構成されている、請求項１〜４のいずれか１項に記載のフレキシブル配線板。
【請求項６】
フレキシブル配線板と、
一方表面に設けられたランド部を含む回路基板とを備え、
前記フレキシブル配線板は、フレキシブル配線板本体と、前記フレキシブル配線板本体を折り畳んだ状態で前記回路基板の前記ランド部に半田付けされる第１ランド部と、前記第１ランド部の前記回路基板の前記ランド部に対する半田付け状態が適切でない場合に前記回路基板のランド部に半田付け可能な第２ランド部とを含む、回路基板に対するフレキシブル配線板の取付構造。
【請求項７】
前記回路基板のランド部は、所定の方向に延びる形状に形成されており、前記第１ランド部が半田付けされる場合に、所定の方向における一方側で前記第１ランド部が半田付けされるとともに、前記第２ランド部が半田付けされる場合に、所定の方向における他方側で前記第２ランド部が半田付けされるように構成されている、請求項６に記載の回路基板に対するフレキシブル配線板の取付構造。
【請求項８】
前記回路基板のランド部は、所定の方向において、前記フレキシブル配線板の前記第１ランド部および前記第２ランド部よりも大きい長さを有するように形成されている、請求項７に記載の回路基板に対するフレキシブル配線板の取付構造。
【発明の詳細な説明】
【技術分野】
【０００１】
この発明は、フレキシブル配線板および回路基板に対するフレキシブル配線板の取付構造に関し、特に、ランド部を備えたフレキシブル配線板および回路基板に対するフレキシブル配線板の取付構造に関する。
【背景技術】
【０００２】
従来、ランド部を備えたフレキシブル配線板が知られている（たとえば、特許文献１参照）。
【０００３】
上記特許文献１には、回路基板の端子部に半田付けにより接続されるランド部を備えるフレキシブルプリント基板（フレキシブル配線板）が開示されている。
【０００４】
ここで、フレキシブルプリント基板のランド部と回路基板の端子部とを半田付けする際には、半田付けのやり直し作業等でフレキシブルプリント基板のランド部を構成する銅が半田によって食われる（融解する）場合があり、フレキシブルプリント基板のランド部と回路基板の端子部との半田付けを適切に行えない場合がある。
【先行技術文献】
【特許文献】
【０００５】
【特許文献１】特開平９−１８１０８号公報
【発明の概要】
【発明が解決しようとする課題】
【０００６】
しかしながら、上記特許文献１に記載のフレキシブルプリント基板（フレキシブル配線板）では、ランド部を構成する銅が半田によって食われる等、フレキシブルプリント基板のランド部と回路基板の端子部との半田付けを適切に行えない場合には、新たなフレキシブルプリント基板に交換する必要があるという問題点がある。
【０００７】
この発明は、上記のような課題を解決するためになされたものであり、この発明の１つの目的は、半田付けを適切に行えない場合でも、新たなフレキシブル配線板に交換する必要がないフレキシブル配線板および回路基板に対するフレキシブル配線板の取付構造を提供することである。
【課題を解決するための手段】
【０００８】
この発明の第１の局面によるフレキシブル配線板は、フレキシブル配線板本体と、フレキシブル配線板本体を折り畳んだ状態で回路基板の一方表面に設けられたランド部に半田付けされる第１ランド部と、第１ランド部の回路基板のランド部に対する半田付け状態が適切でない場合に回路基板のランド部に半田付け可能な第２ランド部とを備える。
【０００９】
この発明の第１の局面によるフレキシブル配線板では、上記のように、第１ランド部の回路基板のランド部に対する半田付け状態が適切でない場合に回路基板のランド部に半田付け可能な第２ランド部を設けることによって、フレキシブル配線板の第１ランド部が半田によって食われる等、第１ランド部の回路基板のランド部に対する半田付けを適切に行えない場合でも、第１ランド部に代えて予備の第２ランド部を回路基板のランド部に半田付けすることができるので、新たなフレキシブル配線板に交換する必要がない。また、フレキシブル配線板を交換する手間を省くことができるので、その分、作業性を向上させることができる。
【００１０】
上記第１の局面によるフレキシブル配線板において、好ましくは、フレキシブル配線板本体は、第１ランド部が回路基板のランド部に半田付けされる場合に、折り畳んだ状態で折り畳んだ部分が互いに固定されるように構成されている。このように構成すれば、折り畳んだ部分を互いに固定した状態で第１ランド部を回路基板のランド部に半田付けすることができるので、半田付けの際の作業性を向上させることができる。
【００１１】
この場合、好ましくは、フレキシブル配線板本体を折り畳んだ状態で折り畳んだ部分を互いに半田付けにより固定するための第３ランド部をさらに備える。このように構成すれば、フレキシブル配線板本体の折り畳んだ状態を半田付けによって確実にかつ容易に固定することができる。
【００１２】
上記第１の局面によるフレキシブル配線板において、好ましくは、フレキシブル配線板本体は、第２ランド部を回路基板のランド部に半田付けする場合に、第２ランド部がフレキシブル配線板本体の端部に位置するように第１ランド部を切り離すことが可能に構成されている。このように構成すれば、第１ランド部の回路基板のランド部に対する半田付け状態が適切でない場合に、第１ランド部を切り離すことにより、第２ランド部をフレキシブル配線板本体の端部に位置させた状態で回路基板のランド部に半田付けすることができるので、第２ランド部の回路基板のランド部に対する半田付けを容易に行うことができる。
【００１３】
上記第１の局面によるフレキシブル配線板において、好ましくは、フレキシブル配線板本体は、折り畳んだ状態で第２ランド部が平面視において第１ランド部と重ならないように折り畳まれるように構成されている。このように構成すれば、フレキシブル配線板本体を折り畳んだ状態で第２ランド部が第１ランド部に干渉することがないので、第１ランド部を回路基板のランド部に半田付けする際に、第２ランド部に半田が付着することを抑制することができる。
【００１４】
この発明の第２の局面による回路基板に対するフレキシブル配線板の取付構造は、フレキシブル配線板と、一方表面に設けられたランド部を含む回路基板とを備え、フレキシブル配線板は、フレキシブル配線板本体と、フレキシブル配線板本体を折り畳んだ状態で回路基板のランド部に半田付けされる第１ランド部と、第１ランド部の回路基板のランド部に対する半田付け状態が適切でない場合に回路基板のランド部に半田付け可能な第２ランド部とを含む。
【００１５】
この発明の第２の局面による回路基板に対するフレキシブル配線板の取付構造では、上記のように、第１ランド部の回路基板のランド部に対する半田付け状態が適切でない場合に回路基板のランド部に半田付け可能な第２ランド部をフレキシブル配線板に設けることによって、フレキシブル配線板の第１ランド部が半田によって食われる等、第１ランド部の回路基板のランド部に対する半田付けを適切に行えない場合でも、第１ランド部に代えて予備の第２ランド部を回路基板のランド部に半田付けすることができるので、新たなフレキシブル配線板に交換する必要がない。また、フレキシブル配線板を交換する手間を省くことができるので、その分、作業性を向上させることができる。
【００１６】
上記第２の局面による回路基板に対するフレキシブル配線板の取付構造において、好ましくは、回路基板のランド部は、所定の方向に延びる形状に形成されており、第１ランド部が半田付けされる場合に、所定の方向における一方側で第１ランド部が半田付けされるとともに、第２ランド部が半田付けされる場合に、所定の方向における他方側で第２ランド部が半田付けされるように構成されている。このように構成すれば、平面視で第１ランド部および第２ランド部の回路基板のランド部に対する半田付け位置を互いにずらすことができるので、第１ランド部を用いた半田付けが適切でない場合に、第２ランド部を第１ランド部の半田付け時とは異なる回路基板のランド部の領域に半田付けすることができる。これにより、回路基板の同一のランド部に対して第１ランド部の半田付け後に第２ランド部の半田付けを行う場合にも、確実に第２ランド部を用いた半田付けを行うことができる。
【００１７】
この場合、好ましくは、回路基板のランド部は、所定の方向において、フレキシブル配線板の第１ランド部および第２ランド部よりも大きい長さを有するように形成されている。このように構成すれば、容易に、第１ランド部による回路基板のランド部に対する半田付け位置と、第２ランド部による回路基板のランド部に対する半田付け位置とを互いにずらすことができる。
【発明の効果】
【００１８】
本発明によれば、上記のように、半田付けを適切に行えない場合でも、新たなフレキシブル配線板に交換する必要がない。
【図面の簡単な説明】
【００１９】
【図１】本発明の一実施形態によるフレキシブル配線板の構成を示す平面図である。
【図２】本発明の一実施形態によるフレキシブル配線板の折り畳んだ状態を示す平面図である。
【図３】本発明の一実施形態によるフレキシブル配線板の折り畳んだ状態を示す側面図である。
【図４】本発明の一実施形態による折り畳んだ状態のフレキシブル配線板の回路基板への取り付けを説明するための斜視図である。
【図５】本発明の一実施形態による折り畳んだ状態のフレキシブル配線板を回路基板へ取り付けた状態を示す斜視図である。
【図６】本発明の一実施形態によるフレキシブル配線板の図５の３０−３０線に沿った断面図である。
【図７】本発明の一実施形態による第１ランド部が切断された状態のフレキシブル配線板の回路基板への取り付けを説明するための斜視図である。
【図８】本発明の一実施形態による第１ランド部が切断された状態のフレキシブル配線板を回路基板へ取り付けた状態を示す斜視図である。
【図９】本発明の一実施形態によるフレキシブル配線板の図８の４０−４０線に沿った断面図である。
【図１０】本発明の一実施形態の第１変形例によるフレキシブル配線板の構成を示す平面図である。
【図１１】本発明の一実施形態の第１変形例によるフレキシブル配線板を折り畳んだ第１状態を示す平面図である。
【図１２】本発明の一実施形態の第１変形例によるフレキシブル配線板を折り畳んだ第２状態を示す平面図である。
【図１３】本発明の一実施形態の第２変形例によるフレキシブル配線板の折り畳んだ状態を示す平面図である。
【発明を実施するための形態】
【００２０】
以下、本発明の実施形態を図面に基づいて説明する。
【００２１】
図１〜図９を参照して、本発明の一実施形態による回路基板２００に対するフレキシブル配線板１００の取付構造について説明する。
【００２２】
本実施形態による回路基板２００に対するフレキシブル配線板１００の取付構造は、図４および図５に示すように、フレキシブル配線板１００と、回路基板２００とを備えている。
【００２３】
フレキシブル配線板１００は、図１に示すように、フレキシブル配線板本体１００ａと、４つの第１ランド部１と、４つの第２ランド部２と、配線用パターン３と、第３ランド部４ａ、４ｂ、５ａおよび５ｂとを備えている。また、フレキシブル配線板本体１００ａには、切り欠き部６が形成されている。また、フレキシブル配線板１００は、レンズを駆動するアクチュエータ１０１に接続されて固定されている。つまり、フレキシブル配線板１００は、アクチュエータ１０１と、回路基板２００とを接続するように構成されている。アクチュエータ１０１は、光ディスク装置の光ピックアップユニット（図示せず）に含まれている。
【００２４】
フレキシブル配線板本体１００ａは、弾性変形可能なポリイミドにより主に構成されている。また、フレキシブル配線板本体１００ａは、折り畳むことが可能に構成されている。具体的には、フレキシブル配線板本体１００ａは、Ｚ２方向側から見て、切り欠き部６（図１参照）を目印にして、一対の切り欠き部６を結ぶＹ方向に延びる破線１０（図１参照）を山折りにして、一対の切り欠き部６を結ぶＹ方向に延びる破線２０（図１参照）を谷折りにして、図２および図３に示すように、折り畳むことが可能に構成されている。また、フレキシブル配線板本体１００ａは、ニッパーやカッターなどで切断することが可能に構成されている。
【００２５】
第１ランド部１は、銅箔により形成されている。また、第１ランド部１は、フレキシブル配線板本体１００ａのＸ２方向側の端部に配置されている。つまり、第１ランド部１は、フレキシブル配線板本体１００ａのＸ２方向側の端部の表面が絶縁層（図示せず）から露出している。また、第１ランド部１は、フレキシブル配線板本体１００ａを折り畳んだ状態で回路基板２００の一方（Ｚ２側）表面に設けられたランド部２０１に半田付けされるように構成されている。また、第１ランド部１は、Ｙ方向に沿って、所定の間隔を隔てて４つ設けられている。また、第１ランド部１は、図４および図５に示すように、フレキシブル配線板本体１００ａの一方（Ｚ２側）表面に配置されている。また、第１ランド部１は、図６に示すように、Ｘ方向において、Ｌ１の長さを有するように形成されている。
【００２６】
第２ランド部２は、銅箔により形成されている。また、第２ランド部２は、第１ランド部１の回路基板２００のランド部２０１に対する半田付け状態が適切でない場合に回路基板２００のランド部２０１に半田付け可能に構成されている。つまり、第２ランド部２は、第１ランド部１が融解して劣化した場合などに、予備のランド部として用いられるように構成されている。これにより、フレキシブル配線板１００がアクチュエータ１０１に固定されて取り外すことが困難である場合でも、フレキシブル配線板１００およびアクチュエータ１０１を新しいものに交換することなく、第２ランド部２を用いてフレキシブル配線板１００を回路基板２００に半田付けすることが可能である。また、第２ランド部２は、４つの第１ランド部１にそれぞれ対応するように、Ｙ方向に沿って、所定の間隔を隔てて４つ設けられている。また、第２ランド部２は、配線用パターン３により、対応する第１ランド部１に接続されている。また、第２ランド部２は、図６に示すように、Ｘ方向において、Ｌ１と略等しいＬ２の長さを有するように形成されている。
【００２７】
また、第２ランド部２は、回路基板２００のランド部２０１に半田付けする場合に、フレキシブル配線板本体１００ａのＸ２方向側の端部に位置するように構成されている。具体的には、第２ランド部２がフレキシブル配線板本体１００ａのＸ２方向側の端部に位置するように、第１ランド部１を含むフレキシブル配線板本体１００ａの部分を切り離すことが可能に構成されている。つまり、フレキシブル配線板本体１００ａを図１の破線１０で切断することにより、第２ランド部２がフレキシブル配線板本体１００ａのＸ２方向側の端部に配置される。
【００２８】
配線用パターン３は、第１ランド部１および第２ランド部２に接続されている。また、配線用パターン３は、フレキシブル配線板本体１００ａの絶縁層（図示せず）に覆われている。
【００２９】
第３ランド部４ａ、４ｂ、５ａおよび５ｂは、フレキシブル配線板本体１００ａを折り畳んだ状態で折り畳んだ部分を互いに半田付けにより固定するために設けられている。具体的には、第３ランド部４ａ（４ｂ）は、第３ランド部５ａ（５ｂ）に半田付けすることが可能に構成されている。また、図２に示すように、第３ランド部４ａ（４ｂ）は、フレキシブル配線板本体１００ａを折り畳んだ場合に、Ｘ方向において第３ランド部５ａ（５ｂ）と重なる位置で、Ｙ１方向（Ｙ２方向）にずれた位置に配置されるように構成されている。また、第３ランド部４ａおよび４ｂ（５ａおよび５ｂ）は、第１ランド部１、第２ランド部２および配線用パターン３を挟むように、Ｙ方向において、フレキシブル配線板本体１００ａの両端に配置されている。
【００３０】
切り欠き部６は、フレキシブル配線板本体１００ａを、折り畳む際の位置を示すために設けられている。具体的には、切り欠き部６は、図１に示すように、フレキシブル配線板本体１００ａを、破線１０で山折りにする目印として用いられる。また、切り欠き部６は、フレキシブル配線板本体１００ａを、破線２０で谷折りにする目印として用いられる。これにより、フレキシブル配線板本体１００ａを折り畳んだ状態で第２ランド部２が平面視において（Ｚ方向から見て）第１ランド部１と重ならないように折り畳むことが可能である。また、切り欠き部６は、フレキシブル配線板本体１００ａを、切断する際の位置を示すために設けられている。具体的には、切り欠き部６は、フレキシブル配線板本体１００ａを、破線１０で切断する目印として用いられる。
【００３１】
フレキシブル配線板本体１００ａは、折り畳んだ状態で第２ランド部２が平面視において第１ランド部１と重ならないように折り畳まれるように構成されている。また、フレキシブル配線板本体１００ａは、第１ランド部１が回路基板２００のランド部２０１に半田付けされる場合に、折り畳んだ状態で折り畳んだ部分が互いに固定されるように構成されている。具体的には、フレキシブル配線板本体１００ａは、第１ランド部１と第２ランド部２との間が折り畳まれて固定されるように構成されている。また、フレキシブル配線板本体１００ａは、折り畳んだ状態で折り畳んだ部分を互いに半田付けにより固定されるように構成されている。
【００３２】
また、フレキシブル配線板本体１００ａは、第２ランド部２を回路基板２００のランド部２０１に半田付けする場合に、第２ランド部２がフレキシブル配線板本体１００ａのＸ２方向側の端部に位置するように第１ランド部１を切り離すことが可能に構成されている。具体的には、フレキシブル配線板本体１００ａは、第２ランド部２を回路基板２００のランド部２０１に半田付けする場合に、図１の破線１０で切断することが可能に構成されている。
【００３３】
回路基板２００は、フレキシブル配線板１００が半田により取り付けられるように構成されている。具体的には、図４および図７に示すように、回路基板２００のランド部２０１にフレキシブル配線板１００の第１ランド部１または第２ランド部２が半田付けされるように構成されている。ランド部２０１は、フレキシブル配線板１００が取り付けられる方向（Ｚ２方向）の表面に設けられている。また、ランド部２０１は、４つの第１ランド部１または４つの第２ランド部２にそれぞれ対応するように、Ｙ方向に沿って、所定の間隔を隔てて４つ設けられている。また、ランド部２０１は、回路基板２００の配線用パターン（図示せず）に接続されている。
【００３４】
また、ランド部２０１は、Ｘ方向に延びる形状に形成されている。具体的には、ランド部２０１は、図６に示すように、Ｘ方向において、Ｌ１およびＬ２より大きいＬ３の長さを有するように形成されている。つまり、ランド部２０１は、Ｘ方向において、フレキシブル配線板１００の第１ランド部１および第２ランド部２よりも大きい長さを有するように形成されている。また、ランド部２０１は、図４に示すように、フレキシブル配線板１００の第１ランド部１が半田付けされる場合に、Ｘ２方向側で第１ランド部１が半田付けされるように構成されている。また、ランド部２０１は、図７に示すように、フレキシブル配線板１００の第２ランド部２が半田付けされる場合に、Ｘ１方向側で第２ランド部２が半田付けされるように構成されている。
【００３５】
次に、図４〜図９を参照して、本発明の一実施形態による回路基板２００に対するフレキシブル配線板１００の取付手順について説明する。
【００３６】
フレキシブル配線板１００の第１ランド部１を回路基板２００のランド部２０１に半田付けする場合、図４に示すように、Ｚ２方向側から見て、フレキシブル配線板本体１００ａを破線１０（図１参照）で山折りにし、破線２０（図１参照）で谷折りにして折り畳む。また、第１ランド部１を回路基板２００のランド部２０１の対応する位置に合わせて、フレキシブル配線板１００を、回路基板２００のＺ２側の表面に載置する。そして、図５および図６に示すように、第１ランド部１およびランド部２０１を半田７により接合する。また、図５に示すように、フレキシブル配線板１００の第３ランド部４ａ（４ｂ）および５ａ（５ｂ）を半田７により接合する。
【００３７】
フレキシブル配線板１００の第２ランド部２を回路基板２００のランド部２０１に半田付けする場合、図７に示すように、フレキシブル配線板本体１００ａを破線１０（図１参照）で切断する。また、第２ランド部２を回路基板２００のランド部２０１の対応する位置に合わせて、フレキシブル配線板１００を、回路基板２００のＺ２側の表面に載置する。そして、図８および図９に示すように、第２ランド部２およびランド部２０１を半田７により接合する。
【００３８】
これにより、フレキシブル配線板本体１００ａを折り畳んで平面視で（Ｚ方向から見て）第１ランド部１および第２ランド部２の互いの位置を近づけた状態で、第１ランド部１および回路基板２００のランド部２０１を半田付けすることができるので、第１ランド部１の回路基板２００のランド部２０１に対する半田付け状態が適切でなく、第２ランド部２を回路基板２００のランド部２０１に半田付けする場合に、第１ランド部１の半田付け時から第２ランド部２の位置がずれるのを抑制することができる。その結果、第２ランド部２を半田付けする際にも、フレキシブル配線板１００と回路基板２００との相対的な位置が維持されるので、フレキシブル配線板１００の回路基板２００を接続させる側とは反対側に接続されたアクチュエータ１０１とフレキシブル配線板１００との位置関係がずれるのを抑制することが可能である。これにより、フレキシブル配線板１００に接続されたアクチュエータ１０１に余計な力が掛かるのを抑制することが可能である。
【００３９】
本実施形態では、上記のように、第１ランド部１の回路基板２００のランド部２０１に対する半田付け状態が適切でない場合に回路基板２００のランド部２０１に半田付け可能な第２ランド部２をフレキシブル配線板１００に設けることによって、フレキシブル配線板１００の第１ランド部１が半田によって食われる等、第１ランド部１の回路基板２００のランド部２０１に対する半田付けを適切に行えない場合でも、第１ランド部１に代えて予備の第２ランド部２を回路基板２００のランド部２０１に半田付けすることができるので、新たなフレキシブル配線板１００に交換する必要がない。また、フレキシブル配線板１００を交換する手間を省くことができるので、その分、作業性を向上させることができる。
【００４０】
また、本実施形態では、フレキシブル配線板本体１００ａを、第１ランド部１が回路基板２００のランド部２０１に半田付けされる場合に、折り畳んだ状態で折り畳んだ部分が互いに固定されるように構成することによって、折り畳んだ部分を互いに固定した状態で第１ランド部１を回路基板２００のランド部２０１に半田付けすることができるので、半田付けの際の作業性を向上させることができる。
【００４１】
また、本実施形態では、フレキシブル配線板本体１００ａを折り畳んだ状態で折り畳んだ部分を互いに半田付けにより固定するための第３ランド部４ａ、４ｂ、５ａおよび５ｂを設けることによって、フレキシブル配線板本体１００ａの折り畳んだ状態を半田付けによって確実にかつ容易に固定することができる。
【００４２】
また、本実施形態では、フレキシブル配線板本体１００ａを、第２ランド部２を回路基板２００のランド部２０１に半田付けする場合に、第２ランド部２がフレキシブル配線板本体１００ａの端部に位置するように第１ランド部１を切り離すことが可能に構成することによって、第１ランド部１の回路基板２００のランド部２０１に対する半田付け状態が適切でない場合に、第１ランド部１を切り離すことにより、第２ランド部２をフレキシブル配線板本体１００ａの端部に位置させた状態で回路基板２００のランド部２０１に半田付けすることができるので、第２ランド部２の回路基板２００のランド部２０１に対する半田付けを容易に行うことができる。
【００４３】
また、本実施形態では、フレキシブル配線板本体１００ａを、折り畳んだ状態で第２ランド部２が平面視において（Ｚ方向から見て）第１ランド部１と重ならないように折り畳まれるように構成することによって、フレキシブル配線板本体１００ａを折り畳んだ状態で第２ランド部２が第１ランド部１に干渉することがないので、第１ランド部１を回路基板２００のランド部２０１に半田付けする際に、第２ランド部２に半田７が付着することを抑制することができる。
【００４４】
また、本実施形態では、回路基板２００のランド部２０１を、Ｘ方向に延びる形状に形成し、第１ランド部１が半田付けされる場合に、Ｘ２方向側で第１ランド部１が半田付けされるとともに、第２ランド部２が半田付けされる場合に、Ｘ１方向側で第２ランド部２が半田付けされるように構成する。これにより、平面視で（Ｚ方向から見て）第１ランド部１および第２ランド部２の回路基板２００のランド部２０１に対する半田付け位置を互いにずらすことができるので、第１ランド部１を用いた半田付けが適切でない場合に、第２ランド部２を第１ランド部１の半田付け時とは異なる回路基板２００のランド部２０１の領域に半田付けすることができる。その結果、回路基板２００の同一のランド部２０１に対して第１ランド部１の半田付け後に第２ランド部２の半田付けを行う場合にも、確実に第２ランド部２を用いた半田付けを行うことができる。
【００４５】
また、本実施形態では、回路基板２００のランド部２０１を、Ｘ方向において、フレキシブル配線板１００の第１ランド部１および第２ランド部２よりも大きい長さを有するように形成することによって、容易に、第１ランド部１による回路基板２００のランド部２０１に対する半田付け位置と、第２ランド部２による回路基板２００のランド部２０１に対する半田付け位置とを互いにずらすことができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、フレキシブル配線板が光ディスク装置の光ピックアップユニットのアクチュエータと回路基板とを接続する場合に、本発明のフレキシブル配線板および回路基板に対するフレキシブル配線板の取付構造を用いる構成の例を示したが、本発明はこれに限られない。本発明では、光ディスク装置の光ピックアップユニット以外に本発明のフレキシブル配線板および回路基板に対するフレキシブル配線板の取付構造を用いてもよいし、光ディスク装置以外の装置に本発明のフレキシブル配線板および回路基板に対するフレキシブル配線板の取付構造を用いてもよい。
【００４８】
また、上記実施形態では、フレキシブル配線板の第１ランド部を回路基板のランド部に半田付けする場合、フレキシブル配線板本体の第１ランド部および第２ランド部の間を折り畳む構成の例を示したが、本発明はこれに限られない。本発明では、フレキシブル配線板の第１ランド部を回路基板のランド部に半田付けする場合、フレキシブル配線板本体を他の折り畳み方により折り畳む構成であってもよい。
【００４９】
また、上記実施形態では、１つの第２ランド部に対して１つの第１ランド部が設けられている構成の例を示したが、本発明はこれに限られない。本発明では、１つの第２ランド部に対して複数の第１ランド部が設けられていてもよい。たとえば、図１０〜図１２に示す第１変形例のように、フレキシブル配線板３００が、第１ランド部３０１ａおよび３０１ｂを備えていてもよい。また、フレキシブル配線板３００は、第３ランド部３０２ａおよび３０２ｂと、第３ランド部３０３ａおよび３０３ｂとをさらに備えていてもよい。
【００５０】
この場合において、フレキシブル配線板３００は、第１ランド部３０１ａが回路基板のランド部に半田付けされる場合、図１１に示すように、フレキシブル配線板本体１００ａを破線５０（図１０参照）で山折りにし、破線７０（図１０参照）で谷折りにして折り畳まれるように構成されている。また、第３ランド部４ａ（４ｂ）および３０３ａ（３０３ｂ）を半田付けすることにより、折り畳まれた部分が固定されるように構成されている。また、フレキシブル配線板３００は、第１ランド部３０１ｂが回路基板のランド部に半田付けされる場合、図１２に示すように、第１ランド部３０１ａを破線８０（図１０参照）で切り離して、フレキシブル配線板本体１００ａを破線５０（図１０参照）で山折りにし、破線６０（図１０参照）で谷折りにして折り畳まれるように構成されている。また、この場合、第３ランド部４ａ（４ｂ）および３０２ａ（３０２ｂ）を半田付けすることにより、折り畳まれた部分が固定されるように構成されている。
【００５１】
また、上記実施形態では、フレキシブル配線板本体を折り畳んだ状態で折り畳んだ部分を互いに固定するために、第３ランド部を設けて半田付けする構成の例を示したが、本発明はこれに限られない。本発明では、半田付け以外によりフレキシブル配線板本体を折り畳んだ状態で折り畳んだ部分を互いに固定してもよい。たとえば、図１３に示す第２変形例のように、フレキシブル配線板本体１００ａを折り畳んだ状態で折り畳んだ部分を互いに固定するためにテープ４０１を外側から留めることにより固定してもよい。また、両面テープを内側に貼ることにより固定してもよい。
【符号の説明】
【００５２】
１、３０１ａ、３０１ｂ  第１ランド部
２  第２ランド部
４ａ、４ｂ、５ａ、５ｂ、３０２ａ、３０２ｂ、３０３ａ、３０３ｂ  第３ランド部
１００、３００、４００  フレキシブル配線板
１００ａ  フレキシブル配線板本体
２００  回路基板
２０１  ランド部
【図１】
2014027235.tif 000003
【図２】
2014027235.tif 000004
【図３】
2014027235.tif 000005
【図４】
2014027235.tif 000006
【図５】
2014027235.tif 000007
【図６】
2014027235.tif 000008
【図７】
2014027235.tif 000009
【図８】
2014027235.tif 000010
【図９】
2014027235.tif 000011
【図１０】
2014027235.tif 000012
【図１１】
2014027235.tif 000013
【図１２】
2014027235.tif 000014
【図１３】
2014027235.tif 000015